【事件の表示】
　特願２００８−１４７２３６「遊技機」拒絶査定不服審判事件〔平成２１年１２月１７日出願公開、特開２００９−２９１３６５〕について、次のとおり審決する。
【結　論】
　本件審判の請求は、成り立たない。
【理　由】
１．手続の経緯等
　本願の手続の経緯概要は以下のとおりである。
　平成２０年　６月　４日　出願
　平成２３年　１月２５日　拒絶理由通知
　平成２３年　４月　４日　手続補正
　平成２３年　６月　９日　拒絶査定
　平成２３年　９月１４日　本件審判請求、手続補正
　平成２３年１１月１５日　審尋
　平成２４年　１月２３日　回答書
　　
２．平成２３年９月１４日付けの手続補正
　本件補正は平成２３年４月４日付け手続補正により補正された特許請求の範囲、明細書及び図面を補正するものであって、その補正の前後の特許請求の範囲は以下のとおりである。
　
（補正前）
「　【請求項１】
　所定の演出内容を表示する表示画面を備えた遊技機であって、
　前記表示画面の前面において所定の球体形状の移動部材が自重によって上方から下方へと移動する移動経路を備え、
　前記移動経路は、前記移動部材が回転移動する領域に、当該移動経路に沿った溝部と、
　前記移動部材が前記移動経路に投入された際に、当該移動部材の移動位置を前記溝部に沿って案内する案内部と、
　を備えていることを特徴とする遊技機。
　　【請求項２】
　前記溝部は、２つの溝側部と当該溝側部の間にある溝底面部とから構成され、
　前記溝側部に当接した前記移動部材が、前記溝底面部に当接することなく、前記移動経路上を回転移動することを特徴とする請求項１に記載の遊技機。
　　【請求項３】
　前記溝側部は、エッジ部を備え、当該溝側部のうち当該エッジ部のみが前記移動部材に当接することを特徴とする請求項２に記載の遊技機。
　　【請求項４】
　前記溝側部は、前記移動部材が当接して回転移動する際に、当該移動部材が前記表示画面に接触しない位置に構成されていることを特徴とする請求項２または３に記載の遊技機。
　　【請求項５】
　前記球体形状の部材は、少なくとも遊技球の外見と同等の外見によって形成されていることを特徴とする請求項１〜４のいずれか一つに記載の遊技機。」
（補正後）
「　【請求項１】
　所定の演出内容を表示する表示画面を備えた遊技機であって、
　前記表示画面の前面において所定の球体形状の移動部材が自重によって上方から下方へと移動する移動経路を備え、
　前記移動経路は、前記移動部材が回転移動する領域に、当該移動経路に沿った溝部と、
　前記移動部材が前記移動経路に投入された際に、当該移動部材の移動位置を前記溝部に沿って案内する案内部と、
　を備え
、
　
前記溝部は、２つの溝側部と当該溝側部の間にある溝底面部とから構成され、
　
前記溝側部に当接した前記移動部材が、前記溝底面部に当接することなく、前記移動経路上を回転移動する
　　【請求項２】
　前記溝側部は、エッジ部を備え、当該溝側部のうち当該エッジ部のみが前記移動部材に当接することを特徴とする請求項
１
　　【請求項３】
　前記溝側部は、前記移動部材が当接して回転移動する際に、当該移動部材が前記表示画面に接触しない位置に構成されていることを特徴とする請求項
１または２
　　【請求項４】
　前記球体形状の部材は、少なくとも遊技球の外見と同等の外見によって形成されていることを特徴とする請求項
１〜３
　
　上記補正は、補正前請求項１を削除した上で、補正前請求項１を引用する補正前請求項２を独立記載形式として新たな請求項１とし、補正前請求項３〜５を新たな請求項２〜４とするものであり、特許法１７条の２第５項１号の請求項の削除を目的とするものに該当する。
　
３．引用文献
　原査定の拒絶の理由に引用された特開２００６−２３８９７５号公報（公開日：平成１８年９月１４日）（以下、「引用文献１」という。）には、以下の事項が図面とともに記載されている。
　
【０００１】
　本発明は、演出画像を表示するための表示領域を有する表示手段が設けられている弾球遊技機に関する。
【００２７】
　遊技盤10の中央部には、中央役物20内に表示領域24ａが配置された表示手段24が設けられている。表示手段24は、液晶ディスプレイ、７セグメントディスプレイ、あるいはドットディスプレイによって図柄の変動表示や各種の演出画像の表示などを行うものである。
【００３１】
　本実施の形態では、第１〜第４の回転体21ａ〜21ｄおよび第１〜第３のガイドレール22ａ〜22ｃが、遊技球移動空間20ａ内において遊技球ＢＬを誘導する遊技球誘導手段として機能する。
　また、第１のガイドレール22ａは、表示手段24の表示領域24ａと重ならないように（あるいは交差しないように）配設され、第２，第３のガイドレール22ｂ，22ｃは、表示領域24ａと交差するように（あるいは重なるように）配設されている。また、第１〜第３のガイドレール22ａ〜22ｃは、遊技球ＢＬが一定の方向に転動するように傾けて設けられている。本実施の形態では、第２，第３のガイドレール22ｂ，22ｃを利用して遊技球ＢＬが表示領域24ａを通過移動するように導くため、遊技球ＢＬの表示領域24ａに対する移動軌跡を固定化することによって遊技球ＢＬの表示領域24ａに対する位置を把握しやすくなっている。このため、このような構成を採用することによって表示領域24ａに表示される演出画像と遊技球ＢＬの動きとの連動性を高めることができる。
【００３５】
　そして、回転部ＲＴが収容部ＧＰに遊技球ＢＬを収容した状態で回転していくと、収容部ＧＰが第２開口部ＲＴＯと一致したところで、遊技球ＢＬは自重によって転動し、ガイドレール22へ放出される（図３（Ｃ）参照）。・・・
【００３８】・・・第２の回転体21ｂから遊技球ＢＬが放出されて遊技球ＢＬが表示領域24ａを通過移動する・・・
【００３９】・・・遊技球ＢＬが第２のガイドレール22ｂへ移動して表示領域24ａへの通過移動を開始した直後から・・・
　
　以上を含む全記載及び図示によれば、引用文献１には次の発明が記載されていると認められる。
　「各種の演出画像の表示を行う表示領域24ａを有する表示手段24を備えた遊技機であって、
　表示領域24ａと交差するように（あるいは重なるように）配設され、遊技球ＢＬが一定の方向に転動するように傾けて設けられた第２のガイドレール22ｂを備え、
　第２の回転体21ｂから遊技球ＢＬが第２のガイドレール22ｂに放出される、遊技機。」（以下、「引用発明」という。）
　
４．対比
　本件補正後の請求項１に係る発明（以下、「本願発明」という。）と引用発明を対比する。
　引用発明の「各種の演出画像の表示を行う」、「第２のガイドレール22ｂ」は、本願発明の「所定の演出内容を表示する」、「移動経路」に、相当する。また、引用発明の「遊技球ＢＬ」は、「第２のガイドレール22ｂ」を「一定の方向に転動する」ものであるから、「移動経路に沿って移動可能な物体であれば特に限定されるものでない」（本願段落【００６１】参照）とされる本願発明の「所定の球体形状の移動部材」に相当する。
　そして、引用発明の「表示領域24ａ」は「各種の演出画像の表示を行う」ものであるから「表示画面」であることは自明である。また、「傾けて設けられた第２のガイドレール22ｂ」を「遊技球ＢＬが一定の方向に転動する」ということは、本願発明の「所定の球体形状の移動部材が自重によって上方から下方へと移動する」に相当する。そして、「第２のガイドレール22ｂ」は「表示領域24ａと交差するように（あるいは重なるように）配設され」たものであるから、「第２のガイドレール22ｂ」における遊技球ＢＬの転動は、「表示画面の前面において」行われるものである。
　
　そうすると、両者は、
「所定の演出内容を表示する表示画面を備えた遊技機であって、
　前記表示画面の前面において所定の球体形状の移動部材が自重によって上方から下方へと移動する移動経路を備えた遊技機。」である点で一致し、以下の点で相違する。
＜相違点１＞
　本願発明では、移動経路は、移動部材が回転移動する領域に、当該移動経路に沿った溝部を備え、前記溝部は、２つの溝側部と当該溝側部の間にある溝底面部とから構成され、前記溝側部に当接した前記移動部材が、前記溝底面部に当接することなく、前記移動経路上を回転移動するのに対し、引用発明ではそのような構成となっているか不明な点。
＜相違点２＞
　本願発明では、移動経路は、移動部材が前記移動経路に投入された際に、当該移動部材の移動位置を前記溝部に沿って案内する案内部を備えているのに対し、引用発明ではそのような構成となっているか不明な点。
　
５．判断
　上記各相違点について、検討する。
＜相違点１＞について
　遊技機において、遊技球が回転移動する領域に、遊技球の移動経路に沿って、２つの溝側部と当該溝側部の間にある溝底面部とから構成された溝部を設け、溝側部に当接した遊技球が、溝底面部に当接することなく、移動経路上を回転移動するようにすることは、原査定の拒絶の理由にも周知例とされた下記の周知例１、２に示されるように従来周知技術Ａである。そうすると、引用発明において、移動経路について上記周知技術Ａを採用して、相違点１に係る本願発明の構成とすることは、当業者であれば想到容易である。
　周知例１：特開２００３−２３６１０９号公報
　　　段落【００４２】には「＜球案内路＞突出部１８により左右に二分さ　　れた枠部１６の上面１６ａ，１６ｂには、遊技球Ｐを枠部１６の左右側　　方へ導くための球案内路３０が設けられている。この球案内路３０は、　　枠部１６の左右方向にほぼ一直線状となるように設けられ、枠部１６の　　上面１６ａ，１６ｂの傾斜に沿って配置されている。」、段落【００４　　４】には、「球案内路３０の形状は、図４（ａ）に示すような溝状・・　　・となっている。」と記載されており、【図４】（ａ）には、２つの溝　　側部と当該溝側部の間にある溝底面部とから構成された溝部を設け、溝　　側部に当接した遊技球Ｐが、溝底面部に当接することがないことが、　　図示されている。
　周知例２：特開平８−１８２８３６号公報
　　　段落【００１０】には「図２（ａ）は図１のＡＡ線に沿う拡大断面図　　であり、前記球受皿３の前記流入口６の近傍領域の底面３ａには、前記　　前面板２に沿うように細長い凹溝が形成され、この凹溝によりパチンコ　　球の誘導溝１１が形成されている。」、段落【００１１】には「この誘　　導溝１１は、断面が凹字状に形成されており、その溝幅はパチンコ球Ｐ　　の直径よりも小さい寸法とされている。また、その深さはパチンコ球Ｐ　　の下側の面が溝の底に接触されることがないような深さとされている。　　そして、この誘導溝１１の両側の縁部１１ａはここでは直角断面とされ　　ている。」、段落【００１２】には「このように、球受皿３の流入口６　　の近傍領域に誘導溝１１を形成しておくと、図２（ｂ）に示すように、　　球受皿３内のパチンコ球Ｐが球受皿３の底面３ａの傾斜によって流入口　　６に向けて移動されてきたときに誘導溝１１に入り込み、その下面の２　　箇所において誘導溝１１の両側の縁部１１ａにそれぞれ接触支持される　　。したがって、パチンコ球Ｐと球受皿３とはこの２箇所１１ａにおいて　　のみ接触され、しかもその接触状態は直線と球面との接触であるために　　点接触状態となる。」と記載されている。
　
＜相違点２＞について
　遊技機において、流下させる移動部材を所定箇所に移動させるべく案内部材を設けることは、原査定の拒絶の理由にも周知例とされた下記の周知例３に示されるように、また上記周知例２（【図１】、【図８】の球受皿３の外周壁内面を参照）に示されるように、従来周知技術Ｂである。そうすると、引用発明において、移動経路について上記周知技術Ｂを採用して、相違点２に係る本願発明の構成とすることは、当業者であれば想到容易である。
　周知例３：特開２００２−３５５３８０号公報
　　　段落【００１８】には「前記遊技球供給皿９の上面は、・・・その貯　　留部２７から転がり落ちる遊技球５を最終的に1列に整列させて発射手　　段に供給する整列樋部２８が形成されているとともに、前記流下樋部２　　６と整列樋部２８との間には後者に下端が迫り出している傾斜面部２９　　が設けられている。この傾斜面部２９は遊技球供給皿９内に多くの遊技　　球５が入れられたとき絶えず整列樋部２８に遊技球５を流下させる作用　　をする。」と記載されている。
　
　そして、本願発明の効果は、引用発明、上記周知技術Ａ、Ｂから当業者が予測できる範囲のものである。
　
　したがって、本願発明は、引用発明、上記周知技術Ａ、Ｂに基づいて、当業者が容易に発明をすることができたものである。
　
６．むすび
　以上のとおり、本願発明は、引用発明及び上記周知技術Ａ、Ｂに基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。